(57)【要約】      （修正有）【課題】ユーザーに違和感を抱かせずに表示領域の移動を行なうことが可能で、表示ソースに関わり無く焼き付き防止対策を行なうことができる。【解決手段】表示部と外枠部から成る表示装置であって、表示領域の移動を行なう表示領域移動手段と、表示部の移動を行なう表示部移動手段と、を備え、表示領域の移動と反対方向に表示部を移動することによって、表示領域の移動をユーザーに意識させずに焼き付き防止を行なう。【選択図】図１
2005201997.tif 000002
【特許請求の範囲】
【請求項１】
画像表示部と該画像表示部の後部に配置された外枠部とからなる画像表示装置において、該外枠部に対して、該画像表示部を移動させる表示部移動手段を有することを特徴とする画像表示装置。
【請求項２】
前記画像表示装置は、該画像表示部に表示される画像表示領域を移動させる表示領域移動手段を有し、該表示領域移動手段は、該表示部移動手段と連携動作することを特徴とする請求項１に記載の画像表示装置。
【請求項３】
前記画像表示領域の移動方向と前記画像表示部の移動方向は互いに逆方向であることを特徴とする請求項２に記載の画像表示装置。
【請求項４】
前記画像表示領域の移動量と前記画像表示部の移動量は同じであることを特徴とする請求項３に記載の画像表示装置。
【請求項５】
前記画像表示領域及び前記画像表示部は所定周期で周期的に移動することを特徴とする請求項３に記載の画像表示装置。
【請求項６】
前記画像表示装置は、静止画像と動画像とを識別するための画像識別手段を有し、該画像識別手段によって、静止画像が識別されたときに、前記画像表示領域及び前記画像表示部を移動させることを特徴とする請求項３に記載の画像表示装置。
【請求項７】
前記画像識別手段は動画像の場合でも、画像の一部が静止している状態を検知して、前記画像表示領域及び前記画像表示部を移動させることを特徴とする請求項６に記載の画像表示装置。
【発明の詳細な説明】
【技術分野】
【０００１】
ＣＲＴ（陰極線管）や液晶などの表示装置に関する。特に、同じ映像や文字を長時間表示することによって発生する焼き付きの防止に関するものである。
【背景技術】
【０００２】
表示装置に同じ映像や文字を長時間表示すると、同じ表示を続けた部分に残像のようなものが現れたり、色が変わってしまったりする現象が現れることがある。この現象が一般に焼き付きと呼ばれるものである。
【０００３】
ＣＲＴの焼き付きは蛍光体の劣化が原因であり、液晶の焼き付きは液晶の配列が固定されてしまうことが原因である。原因は異なるが現象は似ているため、どちらも単に焼き付きと呼ばれる場合が多い。また、焼き付きの防止対策についても同じような対策がとられる場合が多い。
【０００４】
焼き付き防止策の従来方法の代表例を以下に列挙する。
【０００５】
特許文献１に記載される方法は、画面の輝度を制御する方法である。焼き付きの発生する箇所は輝度差の大きな場所だと言い換えることができる。そこで、画面の輝度を下げてしまうことによってこの輝度差を小さくしようとするものである。
【０００６】
特許文献２に記載される方法は、反転画像を出力する方法である。焼き付きは同じ映像を表示しつづけることによって発生するので、当該画像の対極にある画像、すなわち反転画像を一定時間ごとに表示することによって焼き付きを解消しようとするものである。
【０００７】
特許文献３に記載される方法は、表示領域を移動させる方法である。同じ映像が同じ位置に規定時間以上表示されないように、表示領域を移動することによって輝度差の大きい箇所をずらして焼き付きを防止しようとするものである。
【０００８】
このようにいくつかの焼き付き防止策があるなかで、最も一般的だと思われる方法はスクリーンセイバーである。スクリーンセイバーはユーザーからの入力が一定時間行なわれないと、予め用意された動画乃至は準動画が表示されるものである。動画乃至は準動画を表示せずに表示自体を消してしまう場合もある。
【０００９】
しかし、パーソナルコンピュータなどのようにユーザーからの入力が恒常的に行なわれる機器についてはユーザーの入力状態を監視していれば良いが、テレビなどのようにユーザーの入力が恒常的に行なわれる必要のない機器についてはこのような対策をとることができない。
【００１０】
従来、テレビは動画を表示するので長時間同じ映像を表示することはなく、焼き付きを気にする必要はなかった。しかし、近年、テレビの高機能化によって焼き付きを気にしなくてはならない場面が増えてきた。
【００１１】
例えば１６：９のアスペクト比を持つ表示装置に４：３のＮＴＳＣ画像のアスペクト比を守って表示しようとすると画面の両脇に枠が表示されることになる。この枠の表示が長時間続くと焼き付きになり、映画などのような１６：９の映像ソースを表示した時に焼き付きが見えることになる。
【００１２】
他にもデジタルカメラで撮影した静止画を表示する場合や、複数の画面を同時に表示する場合などが考えられる。
【００１３】
特許文献４に記載される方法は、このような問題に対処することが可能である。すなわち、表示装置の前に人がいるかいないかを検知して、人がいない場合にはスクリーンセイバーを起動する、という方法である。これによってテレビのようなユーザーの入力が恒常的に行なわれる必要のない機器についても焼き付き防止を行なうことが可能となっている。
【特許文献１】特開平５−３５２４６号公報
【特許文献２】特開平５−１３４６１９号公報
【特許文献３】特開平５−１６７８７４号公報
【特許文献４】特開平７−２７１３３５号公報
【発明の開示】
【発明が解決しようとする課題】
【００１４】
しかしながら、表示装置の大型化、薄型化の進行により、表示装置の活用法も広がってきて、従来の焼き付き防止対策では不具合が起こる場合が少なくなくなってきた。
【００１５】
例えば、街頭や店頭などに置かれる広告用の表示装置が考えられる。これらの表示装置は動画看板として用いられる。すなわち、動画で人々の興味を惹き、その後に静止画を表示することによってじっくりと広告を読ませるようになっている。または画面を複数のウィンドウに分割して動画と文字情報を一画面のなかに収めるように用いられる場合も多い。
【００１６】
こうした使い方をする場合、輝度を落としたり、反転画像を出力したりする方法では広告効果そのものを落としてしまい実用化することはできなかった。
【００１７】
また、表示領域を移動する方法では、静止画の時に移動が発生すると移動が目立ってしまい視聴者に違和感を抱かせる原因になっていた。したがって視聴者に違和感なくじっくりと読んでもらうためには、動画の時か画面切り換えの時に表示領域の移動を行なう必要があり、表示ソースの作成に制限を与えることになっていた。
【００１８】
一方、人の有無を検知してスクリーンセイバーを起動する方法では、人が近くにいない時は動画を表示し、人が近寄ってきたら静止画に切り換えるという方法で適用することが考えられる。しかし、この方法では人通りの多い場所では静止画ばかりが表示されることになり、焼き付き防止の目的を果たすことができない。さらに表示装置が大画面化されると視聴者から離れた位置に設置されることになり、人の有無を検知する範囲が拡大し、人の有無を検知すること自体が無意味となってしまう。
【課題を解決するための手段】
【００１９】
本提案はこれらの問題に対応する新しい焼き付き防止方法を開示するものである。
【００２０】
本提案による表示装置は画像表示部と該画像表示部の後部に配置された外枠部によって構成されるものである。また本表示装置は表示領域を移動させる表示領域移動手段と、該外枠部に対して該画像表示部を移動させることが可能な表示部移動手段を備えている。
【００２１】
該表示領域移動手段は焼き付きを防止するために該表示部に表示する表示領域を所定の方向に移動させる。また該表示部移動手段は前述の表示領域移動手段が表示領域を移動した方向とは逆方向に該表示部を移動させる。
【００２２】
この該表示領域移動手段と該表示部移動手段の連動によって、視聴者から見て画像領域の移動が感知できないようにすることが可能となる。
【発明の効果】
【００２３】
本提案の手法を利用することによって、ユーザーに違和感を抱かせずに表示領域の移動を行なうことが可能となる。また本手法は表示ソースに関わり無く焼き付き防止対策を行なうことができる。これによって従来手法では困難であった広告用の表示装置などにも焼き付き防止対策を行なうことが可能となる。
【発明を実施するための最良の形態】
【００２４】
表示部と外枠部から成る表示装置であって、外枠部には表示部を物理的に移動させることが可能な表示部移動装置が内蔵されている。表示部移動装置は表示部を外枠部に対して相対的に物理移動させる。この物理移動は周期的なものである。
【００２５】
また、外部から入力される画像データは表示領域移動装置を介して表示部に入力される。表示領域移動装置は表示部に表示可能な表示領域のうちの一部からなる任意の表示領域を指定する。表示領域移動装置によって指定される表示領域は前述の表示部移動手段によって制御される表示部の物理移動を打ち消す方向の表示領域が設定される。
【００２６】
すなわち、表示部移動装置による表示部の移動が視聴者から見て右側に行なわれたとしたら、表示領域移動装置による表示領域の移動は視聴者から見て左側に行なわれる。
【実施例】
【００２７】
以下に図面を用いて本発明の実施例の説明を行なう。
【００２８】
（第１の実施例）
図１は本発明の構成例を示すブロック図である。１０１は制御装置、１０２は表示領域移動装置、１０３は表示部移動装置、１０４は表示部、を表している。またＬ１は表示領域移動装置１０２に入力される画像信号、Ｌ２は表示領域移動装置１０２から出力される画像信号、Ｓ１は制御装置１０１から表示領域移動装置１０２に供給される制御信号、Ｓ２は制御装置１０１から表示部移動装置１０３に供給される制御信号、を表している。
【００２９】
ＹＵＶもしくはＲＧＢを構成する画像信号Ｌ１は表示領域移動装置１０２に入力される。表示領域移動装置１０２は制御装置１０１からの制御信号Ｓ１に従って画像信号Ｌ１の表示領域を移動させる。
【００３０】
表示領域移動された画像信号Ｌ２は表示部１０４に入力され画像表示が行なわれる。
【００３１】
一方、制御装置１０１は表示部移動装置１０３に制御信号Ｓ２を発する。表示部移動装置１０３は制御信号Ｓ２の指示内容に従って表示部１０４の物理移動を行なう。
【００３２】
図２は表示領域移動装置１０２で行なわれる表示領域移動の処理例を説明した図である。
【００３３】
図中、Ｌ１は表示領域移動装置１０２に入力される画像信号、Ｌ２は表示領域移動装置１０２から出力される画像信号、Ｂ１は画像信号Ｌ１の水平同期信号に対するバックポーチ、Ｂ２は画像信号Ｌ２の水平同期信号に対するバックポーチ、を表している。
【００３４】
表示領域移動装置１０２の入出力で水平同期信号に対してバックポーチがＢ１からＢ２に変わっている。従って、表示領域が水平方向右側に（Ｂ２−Ｂ１）だけ移動したことになる。
【００３５】
変換前の座標を（ｘ、ｙ）、変換後の座標を（Ｘ、Ｙ）、移動量（Ｂ２−Ｂ１）をａで表すとこの変換は次の行列式で与えられる。
【００３６】
【数１】
2005201997.tif 000003
【００３７】
上式でＺは移動量を座標と同じように扱うためのダミーの次元である。
【００３８】
図３は表示部を設置する外枠部の外形例を示した図である。
【００３９】
３０１は外枠部本体、３０２は表示部を背後から支える支柱、３０３は支柱ガイド、３０４は表示部を下から支える表示部レール、を表している。
【００４０】
支柱３０２は支柱ガイド３０３に沿って左右移動を行なう。図３では支柱３０２は二つ描かれているが二つとも同じ方向に同時に移動する。支柱３０２の移動は表示部移動装置１０２によって制御されるものである。
【００４１】
不図示の表示部は二つの支柱３０２に固定される。また、外枠部本体３０１の下部に設けられた溝である表示部レール３０４によって表示部を下側から支えるようにする。このようにして表示部は外枠部本体３０１に組み込まれる。表示部と外枠部を合体させて正面から見た図を図４に示す。
【００４２】
図４は表示領域移動装置１０２の移動と表示部移動装置１０３の移動、それぞれの移動の関連を説明した図である。
【００４３】
４０１は表示部、４０２は外枠部、４０３は非表示領域、４０４は表示領域、を表している。
【００４４】
〔図４−Ａ〕は表示領域を一番左に、表示部を一番右に移動した図である。
【００４５】
〔図４−Ｂ〕は表示領域を一番右に、表示部を一番左に移動した図である。
【００４６】
〔図４−Ａ〕では表示部４０１の有効表示領域の中で一番左側に表示領域４０４が設定されている。この時、有効表示領域の一番右側は非表示領域に設定されている。つまり有効表示領域は〔表示領域４０４＋非表示領域４０３〕で表される。
【００４７】
また、表示部４０１は外枠部４０２に対して、表示部４０１の可動範囲の一番右側に移動している。
【００４８】
〔図４−Ｂ〕では表示部４０１の有効表示領域の中で一番右側に表示領域４０４が設定されている。この時、有効表示領域の一番左側は非表示領域に設定されている。
【００４９】
また、表示部４０１は外枠部４０２に対して、表示部４０１の可動範囲の一番左側に移動している。
【００５０】
〔図４−Ａ〕における外枠部４０２に対する表示領域４０４の相対的な位置と、〔図４−Ｂ〕における外枠部４０２に対する表示領域４０４の相対的な位置は同じである。
【００５１】
〔図４−Ａ〕の状態から〔図４−Ｂ〕の状態へは複数のステップを経て移行する。また〔図４−Ｂ〕の状態になると複数のステップを経て〔図４−Ａ〕の状態へ移行する。この時の各ステップにおける外枠部４０２に対する表示領域４０４の相対的な位置は常に一定である。このようにして表示領域の移動と表示部の移動は、互いに反対方向へ反復移動を行なう。
【００５２】
よって表示部４０１の移動座標は表示領域４０４の移動座標を表す式（式１．１）に対して
【００５３】
【数２】
2005201997.tif 000004
で表すことが出来る。
【００５４】
（第２の実施例）
図５は第２の実施例における表示領域移動装置１０２の移動と表示部移動装置１０３の移動、それぞれの移動の関連を説明した図である。
５０１は表示部、５０２は外枠部、５０３は非表示領域、５０４は表示領域、を表している。
【００５５】
〔図５−Ａ〕は表示領域を一番下に、表示部を一番上に移動した図である。
【００５６】
〔図５−Ｂ〕は表示領域を一番上に、表示部を一番下に移動した図である。
【００５７】
〔図５−Ａ〕では表示部５０１の有効表示領域の中で一番下側に表示領域５０４が設定されている。この時、有効表示領域の一番上側は非表示領域に設定されている。つまり有効表示領域は〔表示領域５０４＋非表示領域５０３〕で表される。
【００５８】
また、表示部５０１は外枠部５０２に対して、表示部５０１の可動範囲の一番上側に移動している。
【００５９】
〔図５−Ｂ〕では表示部５０１の有効表示領域の中で一番上側に表示領域５０４が設定されている。この時、有効表示領域の一番下側は非表示領域に設定されている。
【００６０】
また、表示部５０１は外枠部５０２に対して、表示部５０１の可動範囲の一番下側に移動している。
【００６１】
図中では非表示領域が外枠部５０２に隠れて見えないようになっている。同じように〔図５−Ａ〕の状態の時も非表示領域５０３が視聴者に見えないように表示部５０１の上部に外枠部を設けることも可能である。このようにすることによって視聴者に表示部５０１の動きが見えないようにすることもできる。
【００６２】
〔図５−Ａ〕における外枠部５０２に対する表示領域５０４の相対的な位置と、〔図５−Ｂ〕における外枠部５０２に対する表示領域５０４の相対的な位置は同じである。
【００６３】
〔図５−Ａ〕の状態から〔図５−Ｂ〕の状態へは複数のステップを経て移行する。また〔図５−Ｂ〕の状態になると複数のステップを経て〔図５−Ａ〕の状態へ移行する。この時の各ステップにおける外枠部５０２に対する表示領域５０４の相対的な位置は常に一定である。このようにして表示領域の移動と表示部の移動は、互いに反対方向へ反復移動を行なう。
【００６４】
第１の実施例における（式１．１）にならってこの垂直方向の移動量をｂとして、図５の移動例における表示領域移動装置１０２の移動座標算出式を表すと以下の式になる。
【００６５】
【数３】
2005201997.tif 000005
また、表示部移動装置１０３の移動座標算出式は以下の式になる。
【００６６】
【数４】
2005201997.tif 000006
【００６７】
さらに第１の実施例と第２の実施例を併せて斜め方向に移動を行なう場合についても容易に想像が可能である。その場合の座標算出式を以下に記載しておく。
表示領域の移動
【００６８】
【数５】
2005201997.tif 000007
表示部の移動
【００６９】
【数６】
2005201997.tif 000008
【００７０】
（第３の実施例）
図６は第３の実施例における表示領域移動装置１０２の移動と表示部移動装置１０３の移動、それぞれの移動の関連を説明した図である。
【００７１】
６０１は表示部、６０２は外枠部、６０３は非表示領域、６０４は表示領域、を表している。
【００７２】
〔図６−Ａ〕は有効表示領域の中心を原点に表示領域を時計回りに回転、表示部は反時計回りに回転した図である。
【００７３】
〔図６−Ｂ〕は有効表示領域の中心を原点に表示領域を反時計回りに回転、表示部は時計回りに回転した図である。
【００７４】
〔図６−Ａ〕では表示部６０１の有効表示領域の中で最も時計回転方向寄りに表示領域６０４が設定されている。
【００７５】
また、表示部６０１は外枠部６０２に対して、表示部６０１の可動範囲の最も反時計回転方向寄りに移動している。
【００７６】
〔図６−Ｂ〕では表示部６０１の有効表示領域の中で最も反時計回転方向寄りに表示領域６０４が設定されている。
【００７７】
また、表示部６０１は外枠部６０２に対して、表示部６０１の可動範囲の最も時計回転方向寄りに移動している。
【００７８】
〔図６−Ａ〕における外枠部６０２に対する表示領域６０４の相対的な位置と、〔図６−Ｂ〕における外枠部６０２に対する表示領域６０４の相対的な位置は同じである。
【００７９】
〔図６−Ａ〕の状態から〔図６−Ｂ〕の状態へは複数のステップを経て移行する。また〔図６−Ｂ〕の状態になると複数のステップを経て〔図６−Ａ〕の状態へ移行する。この時の各ステップにおける外枠部６０２に対する表示領域６０４の相対的な位置は常に一定である。このようにして表示領域の移動と表示部の移動は、互いに反対方向へ反復移動を行なう。
【００８０】
第１の実施例における（式１．１）にならってこの回転角度をθとして、図６の移動例における表示領域移動装置１０２の移動座標算出式を表すと以下の式になる。
【００８１】
【数７】
2005201997.tif 000009
また、表示部移動装置１０３の移動座標算出式は以下の式になる。
【００８２】
【数８】
2005201997.tif 000010
【００８３】
さらに、表示領域移動装置１０２は表示部６０１の有効表示領域内に画像を表示するために画像を縮小する解像度変換を行なう場合も考えられる。
【００８４】
（第４の実施例）
図７は本発明の第４の実施例における構成例を示すブロック図である。７０１は制御装置、７０２は表示領域移動装置、７０３は表示部移動装置、７０４は表示部、７０５は画像識別装置、を表している。またＬ１は表示領域移動装置７０２と画像識別装置７０５に入力される画像信号、Ｌ２は表示領域移動装置７０２から出力される画像信号、Ｓ１は制御装置７０１から表示領域移動装置７０２に供給される制御信号、Ｓ２は制御装置７０１から表示部移動装置７０３に供給される制御信号、ＧＳ１は画像識別装置７０５から制御装置７０１に供給される画像識別信号、を表している。
【００８５】
ＹＵＶもしくはＲＧＢを構成する画像信号Ｌ１は表示領域移動装置７０２に入力される。
【００８６】
また、画像信号Ｌ１は画像識別装置７０５にも入力される。画像識別装置７０５は入力された画像が静止画か動画か、を判断する。また、動画の場合でも画像の一部が一定時間以上固定されているかどうかを判別する。この判別に用いられる領域と画像固定判別時間は表示装置によって予め決められるものである。この判別結果は画像識別信号ＧＳ１として制御装置７０１に渡される。
【００８７】
制御装置７０１は画像識別信号ＧＳ１に基づいて表示領域の移動方向と移動量を指示する制御信号Ｓ１を表示領域移動装置７０２に供給する。また、表示部の移動方向と移動量を指示する制御信号Ｓ２を表示部移動装置７０３に供給する。
【００８８】
表示領域移動装置７０２は制御装置７０１からの制御信号Ｓ１に従って画像信号Ｌ１の表示領域を移動させる。
【００８９】
表示領域移動された画像信号Ｌ２は表示部７０４に入力され画像表示が行なわれる。
【００９０】
一方、表示部移動装置７０３は制御信号Ｓ２の指示内容に従って表示部７０４の物理移動を行なう。
【図面の簡単な説明】
【００９１】
【図１】第１の実施例の構成を表すブロック図
【図２】第１の実施例における表示領域の移動を説明した図
【図３】外枠部の外形例を示した図
【図４】第１の実施例における移動の関連を説明した図
【図５】第２の実施例における移動の関連を説明した図
【図６】第３の実施例における移動の関連を説明した図
【図７】第４の実施例の構成を表すブロック図
【符号の説明】
【００９２】
１０１  制御装置
１０２  表示領域移動装置
１０３  表示部移動装置
１０４  表示部
３０１  外枠部本体
３０２  支柱
３０３  支柱ガイド
３０４  表示部レール
４０１  表示部
４０２  外枠部
４０３  非表示領域
４０４  表示領域
５０１  表示部
５０２  外枠部
５０３  非表示領域
５０４  表示領域
６０１  表示部
６０２  外枠部
６０３  非表示領域
６０４  表示領域
７０１  制御装置
７０２  表示領域移動装置
７０３  表示部移動装置
７０４  表示部
７０５  画像識別装置
Ｂ１  画像信号Ｌ１のバックポーチ
Ｂ２  画像信号Ｌ２のバックポーチ
ＧＳ１  画像識別信号
Ｌ１  表示領域移動装置に入力される画像信号
Ｌ２  表示領域移動装置から出力される画像信号
Ｓ１  表示領域移動装置に供給される制御信号
Ｓ２  表示部移動装置に供給される制御信号
【図１】
2005201997.tif 000011
【図２】
2005201997.tif 000012
【図３】
2005201997.tif 000013
【図４】
2005201997.tif 000014
【図５】
2005201997.tif 000015
【図６】
2005201997.tif 000016
【図７】
2005201997.tif 000017